(57)【要約】【課題】被検レンズの軸上および軸外収差を高感度に、且つ実用的な方法で観察できるレンズ軸上軸外点像観察装置および方法を提供する。【解決手段】被検レンズ１１と、被検レンズ１１の後端側に平行光を導光する照明光学系１３と、被検レンズ１１の先端側で、被検レンズ１１先端から出射された出射光束軸と反射光束軸が同一光束軸となるように反射可能に配置された球面ミラー９と、被検レンズ１１を通過した反射光束による点像を観察する点像観察光学系１４を具備し、照明光学系１３の光軸と点像観察光学系１４の光軸の少なくとも一方の光軸と被検レンズ１１の光軸とを相対に傾斜可能とする。【選択図】    図１
2004325173.tif 000002
【特許請求の範囲】
【請求項１】
被検レンズと、
前記被検レンズの後端側に平行光を導光する照明光学系と、
前記被検レンズの先端側で、前記被検レンズ先端から出射された出射光束軸と反射光束軸が同一光束軸となるように反射可能に配置された球面ミラーと、
前記被検レンズを通過した前記反射光束による点像を観察する点像観察光学系と、
前記照明光学系の光軸と前記点像観察光学系の光軸の少なくとも一方の光軸と前記被検レンズの光軸とを相対的に傾斜可能な傾斜手段と
を具備したことを特徴とするレンズ軸上軸外点像観察装置。
【請求項２】
前記傾斜手段の傾斜は、前記被検レンズの瞳位置を通るとともに、前記照明光学系の光軸と前記点像観察光学系の光軸の少なくとも一方の光軸及び前記被検レンズの光軸と互いに直交する軸を回転中心として回動することを特徴とする請求項１記載のレンズ軸上軸外点像観察装置。
【請求項３】
前記被検レンズは、前記被検レンズの光軸を中心軸として回動可能な保持手段に保持されていることを特徴とする請求項１記載のレンズ軸上軸外点像観察装置。
【請求項４】
被検レンズの後端側に照明光学系より平行光を導光し、
この平行光を前記被検レンズの先端側に前記被検レンズ先端から出射された出射光束軸と反射光束軸が同一光束軸となるように配置された球面ミラーにより反射させ、
前記被検レンズを通過した前記球面ミラーの反射光束による点像を点像観察光学系で観察するものであって、
前記照明光学系の光軸と前記点像観察光学系の光軸の少なくとも一方の光軸と前記被検レンズの光軸とを相対的に傾斜可能にしたことを特徴とするレンズ軸上軸外点像観察方法。
【発明の詳細な説明】
【０００１】
【発明の属する技術分野】
本発明は、レンズ点像を観察するレンズ軸上軸外点像観察装置および方法に係、例えば複数枚のレンズで構成される顕微鏡対物レンズなどのレンズ系において、各レンズ間の偏心によって発生するレンズ系の偏心コマ収差や各レンズ間の間隔ずれによって発生するレンズ系の収差（球面収差、軸外コマ収差など）を観察するためのレンズ軸上軸外点像観察装置および方法に関する。
【０００２】
【従来の技術】
従来、厳しい仕様性能力が要求されるレンズは、複数枚のレンズから構成されるレンズ系となるのが一般的である。例えば、高ＮＡ、高倍率の顕微鏡対物レンズの中には、１５枚前後の非常に多数のレンズから構成されるものもある。
【０００３】
このように構成枚数の多いレンズ系の光学性能を保証するには、レンズ系を構成する各レンズの偏心によって発生する偏心コマ収差と各レンズ間の間隔ずれによって発生する球面収差、軸外コマ収差、非点収差などを高精度に調整することが要求される。特に、最近の高ＮＡ、高倍率の顕微鏡対物レンズなどでは、偏心コマ収差を抑えるため各レンズ間の偏心許容量は数μｍ以内のレベルを実現する必要があり、レンズやレンズ枠などの加工精度を上げるだけでは対処できず、レンズ系を組み立てた後にレンズ系の偏心調整を高精度に行う工程が必須となっている。また、間隔調整についても、レンズ肉厚加工精度、レンズ間隔を規定するレンズ枠厚さの加工精度の向上だけでは対処することができず、調整工程が必要となっている。
【０００４】
そこで、このような各レンズの偏心によって発生する偏心コマ収差や各レンズ間の間隔ずれを調整する方法として、以下の方法が考えられている。
【０００５】
この場合、実際の偏心調整工程においては、レンズ系（以下、被検レンズと称する。）を構成する全てのレンズの偏心調整をするのではなく、被検レンズの中で偏心調整に好適なレンズ（以下調整レンズと称する。）を選択し、その調整レンズを被検レンズ全体に対して偏心調整することによって、被検レンズの軸非対称収差を抑えるようにしている。この場合、調整レンズは、１枚とは限らないが、できるだけ少ない枚数であることが望まれる。
【０００６】
このような偏心調整工程において、被検レンズの偏心コマ収差を観察あるいは計測することが前提となるが、一般に、数１０μｍから数１００μｍサイズの円形チャートなどを軸上付近においてランプ光源で透過照明し、被検レンズによるチャート像を観察または撮像する。ここで、被検レンズに偏心コマ収差があれば、チャート像が円形でなくなり、例えば卵型のように非対称に変形する。作業者は、このチャート像を観察しなから被検レンズを偏心調整し、チャート像が対称になるように追い込んでいく。
【０００７】
図１１（ａ）は、この様子を説明するための図で、ハロゲンランプなどの光源８０からの光により照明レンズ８１を介してチャート８２を照明する。チャート８２は、例えば図１１（ｂ）に示すような円形開ロパターンである。このチャート８２により被検レンズ８３によりチャート像を作り、これをＣＣＤカメラ８４などで撮像し観察する。ここでの被検レンズ８３は、部組レンズ８３１、８３３と調整レンズ８３２から構成されている。
【０００８】
こうすることで、被検レンズ８３に軸非対称収差があれば、そのチャート像は図１１（ｃ）に示すように対称性が失われるので、このチャート像をみながら、被検レンズ８３内の調整レンズ８３２の偏心調整を行い、最終的に図１１（ｂ）に示すような円形開口パターンに対応した対称性を得るようにする。
【０００９】
この場合、チャート像をモニタ上で目視観察するようにしてもよいが、チャート像の非対称収差をコンピュータにより演算して偏心方向と調整量を作業者に表示し、それに基づいて作業者か調整レンズ８３２を偏心調整するようにしてもよい。さらに、被検レンズの生産量が非常に多い場合は、コンピュータにより数値化された偏心調整量に基づいて自動で偏心調整を行うようにしたものもある。このような考えに基づいたものとして、特許文献１に開示されたものがある。
【００１０】
なお、チャートは、円形以外にスリットなどでもよい。このようなスリットの場合、被検レンズの軸非対称収差は１次元方向しか判別できなくなるので、スリットを様々な向きに回転させて観察する必要がある。
【００１１】
一方、間隔調整は、一般に軸上においては球面収差、軸外においてはコマ収差、非点収差などに影響を与える。したがって、間隔調整を行なう場合は、軸外と軸上の収差状態をそれぞれ観察する必要がある。それを実現するため、従来は、複数の円形開口を有するチャートを使用し、軸上だけでなく軸外についても円形開口を有する像を観察しながら間隔調整を行っている。
【００１２】
【特許文献１】
特開２０００−１２１９０２号公報
【００１３】
【発明が解決しようとする課題】
ところが、上記したように、透過照明によるチャート像の変形に基づいた方法（以下透過チャート像方式と称する）では、軸非対称収差の観察感度が不足する場面が生じることがある。例えば、前述した高ＮＡ、高倍率の顕微鏡対物レンズなどでは、偏心コマ収差の低減要求が非常に厳しくなっており、偏心コマ収差の観察の感度向上が課題となっている。
【００１４】
このような要求に対して、従来の透過チャート像方式において、偏心コマ収差の観察感度を上げるには、透過円形チャートの直径（またはスリット幅）を小さくしてチャート像の変形を判別しやすくする方法か考えられる。この方法の原理は、チャートが小さくなると、チャートをそのまま透過した０次光強度に対するチャートエッジ部分での高次の回折波強度の割合が相対的に増加することにより、被検レンズの高いＮＡ領域を通る光が相対的に強度が増加し、それにより偏心コマ収差が強調されることに基づいている。さらに言えば無限小のピンホールによる回折波は全方向に一様な強度で光を回折することから、理論上は最も理想的なチャートと言ってよい。
【００１５】
しかし、あまりに微小なチャートになると、被検レンズに取り込まれる光量が大幅に減少し、チャート像が非常に暗いものになってしまう。現実的には被検レンズの開口数ＮＡ、波長λで決定されるエアリデイスク径φ＿ａｉｒｙと同等程度のチャートが理想的である。例えば、ＮＡ＝０．９、λ＝０．５５μｍの顕微鏡対物レンズのエアリディスク径を計算してみると、φ＿ａｉｒｙ＝１．２２×λ／ＮＡ＝１．２２×０．５５μｍ／０．９＝０．７４μｍとなる。さらに、エッジが綺麗に加工され且つ形状の対称性が要求される。
【００１６】
しかし、このような微細な透過チャートを入手するのは、非常に難しい。特に、ＮＡ＝０．９、λ＝０．３μｍ程度の紫外域対物レンズの場合には、φ＿ａｉｒｙ＝０．４μｍとなり、このような微細な透過チャートの入手は、不可能といってよかった。
【００１７】
一方、近年、顕微鏡対物レンズがレーザ光学系に適用される例が増えている。この場合、レーザ光源で規定される狭スペクトルの特定波長において性能を確保できればよいが、レーザ波長においては厳しい光学性能が要求されるため、必然的に、対物レンズが使用されるレーザ光源を使って偏心調整をする必要がある。
【００１８】
しかし、上述したような、透過照明によるチャート像の非対称変形に基づいた観察方法では、コヒーレントなレーザ光で、ある程度広い面積のチャートを照明することになり、チャート像にスペックルノイズが加わる。そうなると、スペックルノイズの中に偏心コマ収差が埋もれてしまい、偏心コマ収差を観察することは不可能である。この結果、レーザ光源を使用しても、高感度に偏心コマ収差を観察することも大きな課題となっている。
【００１９】
スペックルノイズを無くし、かつ偏心コマ収差を高感度に観察する方法として、被検レンズのエアリディスク径φ＿ａｉｒｙ以下の透過チャートを準備する方法がある。しかし、すでに述べたように、そのようなチャートを準備するのは諦めざるをえない。
【００２０】
チャートを使わない透過観察方式として、図１２に示すような基準レンズ方式も考えられる。図１２は、図１１と同一部分には、同符号を付して示すもので、この場合、チャートに代えて無収差として扱える基準レンズ８５を準備し、基準レンズ８５の焦点と被検レンズ８３の焦点を一致させる。
【００２１】
このようにすると、基準レンズ８５のＮＡが被検レンズ８３のＮＡと同等以上であれば、基準レンズ８５による点像を被検レンズ８３で再結像させた場合、被検レンズ８３による点像を観察したとみなしてよく、それを十分な画素分解能でＣＣＤ８４で撮像することで被検レンズ８３の偏心コマ収差を感度良く観察ですることができる。
【００２２】
これにより、チャートを使う必要もなく、レーザ光を使っても基準レンズ８５による点像を観察するだけなので、ある程度大きい透過チャートをレーザ光で観察する場合に発生するスペックルノイズも発生しない。
【００２３】
しかしながら、被検レンズ８３に対してＮＡが同等以上で無収差の基準レンズ８５を準備する点が、次のような理由で非現実的である。つまり、上述したように、被検レンズ８３として顕微鏡の対物レンズなとを考えた場合、ある特定の波長の専用設計対物レンズであったり、レーザ専用設計の対物レンズであったりする。そうすると、被検レンズ８３と同じ種類の数だけ基準レンズ８５が必要となる。しかも、被検レンズ８３と同等以上のＮＡで、予め無収差とみなせるレンズでなければならない。
【００２４】
したがって、図１２に示す方法では、基準レンズ８５を予め準備するのに費用や時間かかかり、非効率的で実用的でない。さらに、上述したように複数枚のレンズから構成されるレンズ系の場合は、上述した偏心調整だけでなく、レンズ間の間隔の調整も必要である。この間隔調整は、軸上では球面収差に影響し、軸外ではコマ収差や非点収差に影響する。このため、軸外性能も要求される場合は、間隔調整は重要となり、レンズの軸上性能だけでなく、軸外性能も高感度に観察する必要かあった。
【００２５】
本発明は上記事情に鑑みてなされたもので、被検レンズの軸上および軸外収差を高感度に、且つ実用的な方法で観察できるレンズ軸上軸外点像観察装置および方法を提供することを目的とする。
【００２６】
【課題を解決するための手段】
請求項１記載の発明は、被検レンズと、前記被検レンズの後端側に平行光を導光する照明光学系と、前記被検レンズの先端側で、前記被検レンズ先端から出射された出射光束軸と反射光束軸が同一光束軸となるように反射可能に配置された球面ミラーと、前記被検レンズを通過した前記反射光束による点像を観察する点像観察光学系と、前記照明光学系の光軸と前記点像観察光学系の光軸の少なくとも一方の光軸と前記被検レンズの光軸とを相対的に傾斜可能な傾斜手段とを具備したことを特徴としている。
【００２７】
請求項２記載の発明は、請求項１記載の発明において、前記傾斜手段の傾斜は、前記被検レンズの瞳位置を通るとともに、前記照明光学系の光軸と前記点像観察光学系の光軸の少なくとも一方の光軸及び前記被検レンズの光軸と互いに直交する軸を回転中心として回動することを特徴としている。
【００２８】
請求項３記載の発明は、請求項１記載の発明において、前記被検レンズは、前記被検レンズの光軸を中心軸として回動可能な保持手段に保持されていることを特徴としている。
【００２９】
請求項４記載の発明は、被検レンズの後端側に照明光学系より平行光を導光し、この平行光を前記被検レンズの先端側に前記被検レンズ先端から出射された出射光束軸と反射光束軸が同一光束軸となるように配置された球面ミラーにより反射させ、前記被検レンズを通過した前記球面ミラーの反射光束による点像を点像観察光学系で観察するものであって、前記照明光学系の光軸と前記点像観察光学系の光軸の少なくとも一方の光軸と前記被検レンズの光軸とを相対的に傾斜可能にしたことを特徴としている。
【００３０】
この結果、本発明によれば、被検レンズの軸上の点像から軸上の収差の観察を行なうことができると同時に、被検レンズの軸外の点像から軸外の収差の観察も行なうことができるので、被検レンズの偏心調整を始め、間隔調整を高感度で効率的に行うことができる。
【００３１】
また、本発明によれば、被検レンズの収差を高感度に観察でき、しかも、多品種少量生産になりがちな厳しい仕様性能の被検レンズに対しても時間的、費用的に効率的に対応可能なレンズの軸上軸外収差観察環境を提供できる。
【００３２】
【発明の実施の形態】
以下、本発明の実施の形態を図面に従い説明する。
【００３３】
（第１の実施の形態）
図１（ａ）（ｂ）は、本発明が適用されるレンズ軸上軸外点像観察装置の概略構成を示している。
【００３４】
図において、１は装置本体で、この装置本体１は、水平方向のベース部１ａ、このベース部１ａに直立して設けられた胴部１ｂ、この胴部１ｂの先端にベース部１ａと平行に設けられたアーム部１ｃから構成されている。
【００３５】
装置本体１の胴部１ｂには、アーム部１ｃと平行な方向に回転軸２が突設されている。
【００３６】
回転軸２には、傾斜手段としてのフレーム３が回動可能に支持されている。フレーム３は、板状のフレーム本体３ａの上下端部３ｂ、３ｃを平行に突出したコ字形状をしたものである。フレーム本体３ａには、軸受４が設けられ、この軸受４に回転軸２が挿通され、装置本体１に対してフレーム３全体が回動自在になっている。
【００３７】
装置本体１のベース部１ａには、押しネジ台５が設けられている。押しネジ台５には、押しネジ６が螺装されている。押しネジ６は、ベース部１ａ面に沿って配置され、一方端部がフレーム３の下端部３ｃの側面に当接されている。また、押しネジ６の他方端部には、ハンドル７が設けられ、このハンドル７の回転操作により、フレーム３に対する押付け力を調整し、フレーム３全体を回転軸２を中心に回動させるようになっている。
【００３８】
フレーム３の下端部３ｃには、ＸＹＺステージ８が設けられている。ＸＹＺステージ８には、標本としての球面ミラー９が載置されている。ＸＹＺステージ８は、球面ミラー９を載置した状態で、水平方向のＸＹ方向と、垂直方向のＺ方向の３方向に移動可能になっており、球面ミラー９の３方向の位置を調整できるようにしている。球面ミラー９には、所定の曲率半径を有する凹状の球面９ａが形成されている。
【００３９】
フレーム３の上端部３ｂには、自転部材１０を介して被検レンズ１１が設けられている。被検レンズ１１は、球面ミラー９の球面９ａに対向させて配置されている。これら被検レンズ１１および球面ミラー９は、被検レンズ１１の焦点と球面ミラー９の曲率中心が一致するような位置関係で配置されている。
【００４０】
これにより、フレーム３は、照明光学系１３の光軸（点像観察光学系１４の光軸）に対して、被検レンズ１１の光軸を傾斜可能にするようになっている。
【００４１】
また、被検レンズ１１と回転軸２の関係は、回転軸２の回転中心Ａが被検レンズ１１の光軸および前記照明光学系の光軸と前記点像観察光学系の光軸の少なくとも一方の光軸に直交し、かつ被検レンズ１１の瞳位置にほぼ近い位置を含む面上に配置されている。これは、フレーム３の傾斜中心軸が被検レンズ１１の瞳位置から外れていると、フレーム傾斜時に瞳枠で光束にケラレを発生することになり好ましくないからである。
【００４２】
図２は、自転部材１０の概略構成を示している。
【００４３】
フレーム３の上端部３ｂには、孔部３ｄが形成されている。この孔部３ｄには、筒状の固定部材１０ａが設けられている。この場合、孔部３ｄと筒状の固定部材１０ａは、中空部を連通して設けられている。
【００４４】
固定部材１０ａには、周面に回転軸受１０ｂが配置され、この回転軸受１０ｂを介して筒状の回転部材１０ｃが設けられている。これにより、回転部材１０ｃは、固定部材１０ａの中心軸と同じ軸（光軸）を中心に回転可能になっている。
【００４５】
回転部材１０ｃには、被検レンズ１１がねじ込みなどにより固定されている。被検レンズ１１は、回転部材１０ｃとともに、固定部材１０ａの中心軸と同じ軸、つまり被検レンズ１１の光軸を中心に自転可能になっている。
【００４６】
図１に戻って、装置本体１のアーム部１ｃ上には、ビームスプリッタ１２が設けられている。このビームスプリッタ１２は、平行光を射出する照明系１３からの平行光を被検レンズ１１側に反射し、また、被検レンズ１１からの光を透過するようになっている。
【００４７】
ビームスプリッタ１２の透過光路には、点像拡大観察系１４が設けられている。この点像拡大観察系１４は、結像レンズ１５と、撮像手段としてのＣＣＤカメラ１６を有している。結像レンズ１５は、ビームスプリッタ１２を透過した被検レンズ１１からの光をＣＣＤカメラ１６の撮像面に結像させるようにしている。ＣＣＤカメラ１６は、撮像面に結像された像を撮像するようにしている。
【００４８】
次に、このように構成された実施の形態の動作を説明する。
【００４９】
まず、被検レンズ１１の軸上での収差の観察を行なう場合について説明する。
【００５０】
この場合、ハンドル７を回転操作して押しネジ６によるフレーム３の押付け力を解除して、フレーム本体３ａがベース部１ａ面に対し垂直になるように設定する。また、この状態から、被検レンズ１１以外については、予め、収差が問題にならない程度に調整しておく。
【００５１】
照明系１３からの平行光がビームスプリッタ１２に入射すると、ビームスプリッタ１２で反射して被検レンズ１１に入射する。被検レンズ１１を透過した光は、被検レンズ１１の焦点に一旦集光し、球面ミラー９に向かう。
【００５２】
この場合、球面ミラー９の球面９ａの曲率中心と被検レンズ１１の焦点が一致しているので、被検レンズ１１を透過した光線は、全て球面ミラー９の球面９ａで垂直反射する。
【００５３】
球面ミラー９で反射した光線は、再び被検レンズ１１の焦点に集光し、被検レンズ１１を再透過して、被検レンズ１１の２倍の収差が加わった平行光としてビームスプリッタ１２に入射する。そして、ビームスプリッタ１２を透過した光は、点像拡大観察系１４の結像レンズ１５を介してＣＣＤカメラ１６で撮像され、点像として拡大観察される。
【００５４】
このようにすると、照明系１３からの平行光が被検レンズ１１を往復するようになるので、被検レンズ１１の収差を２倍に強調することができ、さらに被検レンズ１１の点像そのものを拡大観察できるので、被検レンズ１１の収差の観察感度を高めることができる。
【００５５】
次に、球面ミラー９の作用をさらに詳しく説明する。図１では、被検レンズ１１に入射する光線のうち、光軸を挟んで互いに対称な光線を細線と太線で表わしている。
【００５６】
この場合、標本として球面ミラー９を用いているので、細線で表した光線は、球面ミラー９で反射しても、再び被検レンズ１１の同じ経路を辿ってビームスプリッタ１２側に出射され、点像拡大観察系１４側に向かう。太線で表した光線も同様である。このことは、被検レンズ１１の持っている収差を２倍した収差が加わった平行光が点像拡大観察系１４に向かうことになり、被検レンズ１１の収差を強調した状態で収差の観察を行うことができる。
【００５７】
しかし、標本として球面ミラー９でなく、仮に平面ミラーを使用した場合、平面ミラーは、被検レンズ１１の焦点に設置されるが、細線で表した光線も太線で表した光線も被検レンズ１１の同じ経路を辿ってビームスプリッタ１２側へ射出されることがないので、被検レンズ１１の持っている偏心コマ収差などの非対称収差の情報は失われてしまうことは明らかである。このことから、標本として平面ミラーを使用することはできず、球面ミラー９が使用されている。また、球面ミラー９は、非常に高精度な球面である必要があり、一般には、反射面にはコーティングを施していない。従って、材質によってその反射率が決まり、普通は、ガラス（石英などが多い）であるが、反射率が４％程度と低いので、反射率が４０％％程度と高いシリコン製のものが好適である。
【００５８】
次に、点像拡大観察系１４について詳しく説明する。
【００５９】
点像拡大観察系１４は、結像レンズ１５と撮像手段としてのＣＣＤカメラ１６から構成されており、被検レンズ１１の２倍の収差が加わった点像を大きく拡大観察する機能を有している。ここで、拡大観察するには、結像レンズ１５によって作られる点像を大きくすることと、ＣＣＤカメラ１６に画素サイズの小さいものを使うことが考えられる。例えば、被検レンズ１１として、ＮＡ＝０．９、焦点距離ｆ＿ｏｂ＝１．８ｍｍ、λ＝０．５５μｍの顕微鏡対物レンズの場合の、結像レンズ１５の焦点距離とＣＣＤカメラ１６の画素分解能について考えると、被検レンズ１１が無収差の場合のエアリディスク径φ＿ａｉｒｙは、１．２２×λ／ＮＡ＝１．２２×０．５５μｍ／０．９＝０．７５μｍとなる。また、結像レンズ１５の焦点距離をｆ＿ＴＬとすると、被検レンズ１１の点像の光学拡大倍率Ｍは、Ｍ＝ｆ＿ＴＬ／ｆ＿ｏｂとなる。また、ｆ＿ＴＬ＝３６０ｍｍとすると、Ｍ＝２００倍となり、ＣＣＤカメラ１６に投影されるエアリディスク径は、０．７５μｍ×２００＝１５０μｍとなる。さらに、ＣＣＤカメラ１６の１画素を７．５μｍとすれば、１５０μｍ／７．５μｍ＝２０、即ち、点像のエアリディスク内を２０×２０画素の画素分解能で撮像できる拡大観察系となる。実際には、点像のエアリディスク内を１０×１０画素程度の画素分解能の撮像でも、収差の観察には実用上差し支えない。
【００６０】
このようにして、点像を十分な画素分解能で撮像できれば、被検レンズ１１の収差の影響を受けた点像を不図示のモニター上で十分に拡大観察でき、その収差を高感度に観察できる。
【００６１】
なお、ＣＣＤカメラ１６の代わりに無収差とみなせる接眼レンズを付けて観察しても良いが、光学系が増えるので、上述した拡大観察系の方がより望ましい。
【００６２】
また、このように被検レンズ１１の収差を高感度に観察できることは、実用上の次のような効果がある。
【００６３】
第１に、サブμｍオーダーの微小な透過チャートの製作という困難から開放される。第２に、レーザを使用してもスペックルノイズが発生しない。第３に、基準レンズ方式のように、被検レンズの種類と同数の基準レンズを製作する必要がない。
【００６４】
この反面、球面ミラー９を準備する必要があるが、反射素子であるため、あらゆる波長の被検レンズ１１に対して共通に使用できることから、無収差とみなせる球面ミラー９を１個だけ準備すればよい。球面ミラー９のチェックとしては、Ｈｅ−Ｎｅレーザを使用した干渉計が市販されているので、この干渉計により球面ミラー９の収差（球面からのずれ）を一度だけチェックしておけは良い。これにより、被検レンズ１１さえ作れば、その収差をすぐに観察できる。
【００６５】
従って、このようにすれば、光が被検レンズ１１を往復するので、収差が２倍に強調され、しかも、被検レンズ１１を往復した光による点像そのものを拡大観察できるので、被検レンズ１１の軸上での収差を高感度に観察できる。
【００６６】
また、落射照明方式を用いているので、微細な透過チャートや透過基準レンズを被検レンズ種類毎に準備するなどの必要がなくなるので、費用的にも時間的にも効率良く、様々な被検レンズに対応できる収差の観察環境を提供できる。
【００６７】
さらに、球面ミラー９として、反射率が高いシリコン製のものを用いることにより、光の利用効率をあげることができるので、さらに被検レンズ１１の収差を高感度に観察できる。
【００６８】
以上の説明は、被検レンズ１１の軸上での収差の観察方法について述べたが、次に、軸外の収差の観察方法について説明する。
【００６９】
この場合、ハンドル７を回転操作して押しネジ６によりフレーム３に対して押付け力を作用させる。すると、フレーム３は、回転軸２を中心に回動され、図３に示すように、被検レンズ１１、球面ミラー９およびＸＹＺステージ８が一体的に傾斜する。なお、図３は、図１と同一部分には、同符号を付している。
【００７０】
これにより被検レンズ１１の光軸は、ビームスプリッタ１２で反射されて被検レンズ１１に入射される照明系１３からの平行光の光軸に対して所定角度傾けられる。
【００７１】
この場合、フレーム３の傾斜の軸、つまり回転中心Ａは、被検レンズ１１のほぼ瞳位置になっている。
【００７２】
この場合も、照明系１３からの平行光がビームスプリッタ１２に入射すると、ビームスプリッタ１２で反射して被検レンズ１１に入射する。被検レンズ１１を透過した光は、球面ミラー９に向かう。この場合、被検レンズ１１、球面ミラー９およびＸＹＺステージ８は、一体的に傾斜されている。これにより、被検レンズ１１に入射される照明系１３からの平行光の光軸は、被検レンズ１１の光軸に対して所定角度傾けられるので、被検レンズ１１へ入射した平行光は、被検レンズ１１の光軸から外れた軸外に集光される。
【００７３】
この状態で、ＸＹＺステージ８を移動操作して球面ミラー９の曲率中心を被検レンズ１１の軸外集光位置に移動させる。これにより、球面ミラー９で反射した光線は、被検レンズ１１を透過してビームスプリッタ１２に入射する。そして、ビームスプリッタ１２を透過した光は、点像拡大観察系１４の結像レンズ１５を介してＣＣＤカメラ１６で撮像され、点像として拡大観察される。この拡大観察される点像が被検レンズ１１の軸外の点像で、この点像から軸外の収差の観察が行われる。
【００７４】
この状態から自転部材１０を操作して被検レンズ１１を光軸中心に自転させると、被検レンズ１１の光軸から外れた軸外集光位置を移動させることができる。これにより、被検レンズ１１を所定角度ずつ自転させ、軸外集光位置を移動させながら、点像拡大観察系１４により点像を観察することにより、被検レンズ１１の軸外全ての場所での点像を観察することができる。
【００７５】
従って、このようにすれば、さらに、被検レンズ１１の軸外の点像から軸外の収差の観察を行なうことができるので、上述した被検レンズ１１の軸上の収差の観察を合わせて行なうことにより、被検レンズ１１の偏心調整を始め、間隔調整を高感度で効率的に行うことができる。
【００７６】
また、被検レンズの収差を高感度に観察でき、しかも、多品種少量生産になりがちな厳しい仕様性能の被検レンズに対しても時間的、費用的に効率的に対応可能なレンズの軸上軸外収差観察環境を提供できる。
【００７７】
これにより、例えば複数枚のレンズで構成される顕微鏡対物レンズなどのレンズ系において、各レンズ間の偏心によって発生するレンズ系の偏心コマ収差や各レンズ間の間隔ずれによって発生するレンズ系の収差（球面収差、軸外コマ収差など）観察に効率よく対応でき、これらのレンズ系の偏心調整および間隔調整についても高感度で効率的に行うことができる。
【００７８】
（第２の実施の形態）
次に、本発明の第２の実施の形態を説明する。
【００７９】
図４（ａ）（ｂ）は、第２の実施の形態の概略構成を示すもので、図１と同一部分には、同符号を付している。
【００８０】
上述した第１の実施の形態では、被検レンズ１１、球面ミラー９およびＸＹＺステージ８を一体的に傾斜させるようにしたが、この第２の実施の形態では、照明系１３、ビームスプリッタ１２および点像拡大観察系１４が一体的に傾斜するようになっている。
【００８１】
この場合、装置本体１の胴部１ｂには、アーム部１ｃの突出方向と反対方向に回転軸３１が突設されている。
【００８２】
回転軸３１には、フレーム３２が回動可能に支持されている。フレーム３２は、板状のフレーム本体３２ａの上端部をアーム部１ｃと平行な方向に折り曲げた折曲げ部３２ｂを有するものである。フレーム本体３２ａには、軸受３３が設けられ、この軸受３３に回転軸３１が挿通され、装置本体１に対してフレーム３２全体が回動自在になっている。
【００８３】
装置本体１のベース部１ａ上には、ＸＹＺステージ８が設けられている。ＸＹＺステージ８には、標本としての球面ミラー９が載置されている。ＸＹＺステージ８は、球面ミラー９を載置した状態で、水平方向のＸＹ方向と、垂直方向のＺ方向の３方向に移動可能になっており、球面ミラー９の３方向の位置を調整できるようにしている。球面ミラー９には、所定の曲率半径を有する凹状の球面９ａが形成されている。
【００８４】
装置本体１のアーム部１ｃには、自転部材１０を介して被検レンズ１１が設けられている。被検レンズ１１は、球面ミラー９の球面９ａに対向させて配置されている。これら被検レンズ１１および球面ミラー９は、被検レンズ１１の焦点と球面ミラー９の曲率中心が一致するような位置関係で配置されている。
【００８５】
ここで、被検レンズ１１と回転軸３１の関係は、回転軸３１の回転中心Ａが被検レンズ１１の光軸および前記照明光学系の光軸と前記点像観察光学系の光軸の少なくとも一方の光軸に直交し、かつ被検レンズ１１の瞳位置にほぼ近い位置を含む面上に配置されている。
【００８６】
装置本体１のベース部１ａには、押しネジ台５が設けられている。押しネジ台５には、押しネジ６が螺装されている。押しネジ６は、ベース部１ａ面に沿って配置され、一方端部がフレーム３２のフレーム本体３２ａ下端部に当接されている。また、押しネジ６の他方端部には、ハンドル７が設けられ、このハンドル７の回転操作により、フレーム本体３２ａに対する押付け力を調整し、フレーム３２全体を回転軸３１を中心に回動させるようになっている。
【００８７】
フレーム３２の折曲げ部３２ｂには、ビームスプリッタ１２が設けられている。このビームスプリッタ１２は、平行光を射出する照明系１３からの平行光を被検レンズ１１側に反射し、また、被検レンズ１１からの光を透過するようになっている。
【００８８】
ビームスプリッタ１２の透過光路には、点像拡大観察系１４が設けられている。この点像拡大観察系１４は、結像レンズ１５と、撮像手段としてのＣＣＤカメラ１６を有している。結像レンズ１５は、ビームスプリッタ１２を透過した被検レンズ１１からの光をＣＣＤカメラ１６の撮像面に結像させるようにしている。ＣＣＤカメラ１６は、撮像面に結像された像を撮像するようにしている。
【００８９】
これにより、フレーム３２は、被検レンズ１１の光軸に対して、照明光学系１３の光軸（点像観察光学系１４の光軸）を傾斜可能にするようになっている。
【００９０】
このような構成において、まず、被検レンズ１１の軸上での収差の観察を行なう場合は、ハンドル７を回転操作して押しネジ６によるフレーム３２の押付け力を解除し、フレーム本体３２ａがベース部１ａ面に対し垂直になるように設定する。この状態で、上述したと同様にして被検レンズ１１の軸上での収差の観察が行われる。
【００９１】
次に、軸外での収差の観察を行なう場合は、ハンドル７を回転操作して押しネジ６によりフレーム３２に対して押付け力を作用させる。すると、フレーム３２は、回転軸３１を中心に回動され、図５に示すように、照明系１３、ビームスプリッタ１２および点像拡大観察系１４が一体的に傾斜する。なお、図５は、図４と同一部分には、同符号を付している。
【００９２】
これにより、ビームスプリッタ１２で反射されて被検レンズ１１に入射される照明系１３からの平行光の光軸は、被検レンズ１１の光軸に対して所定角度傾けられる。
【００９３】
この場合も、照明系１３からの平行光がビームスプリッタ１２に入射すると、ビームスプリッタ１２で反射して被検レンズ１１に入射する。被検レンズ１１を透過した光は、球面ミラー９に向かう。この場合、照明系１３、ビームスプリッタ１２および点像拡大観察系１４は、一体的に傾斜されている。これにより、被検レンズ１１に入射される照明系１３からの平行光の光軸は、被検レンズ１１の光軸に対して所定角度傾けられるので、、被検レンズ１１へ入射した平行光は、被検レンズ１１の光軸から外れた軸外に集光される。
【００９４】
この状態で、ＸＹＺステージ８を移動操作して球面ミラー９の曲率中心を被検レンズ１１の軸外集光位置に移動させる。これにより、球面ミラー９で反射した光線は、被検レンズ１１を透過してビームスプリッタ１２に入射する。そして、ビームスプリッタ１２を透過した光は、点像拡大観察系１４の結像レンズ１５を介してＣＣＤカメラ１６で撮像され、点像として拡大観察される。この拡大観察される点像が被検レンズ１１の軸外の点像で、この点像から軸外の収差の観察が行われる。
【００９５】
また、この状態から自転部材１０を操作して被検レンズ１１を光軸中心に自転させると、被検レンズ１１の光軸から外れた軸外集光位置を移動させることができる。これにより、被検レンズ１１を所定角度ずつ自転させ、軸外集光位置を移動させながら、点像拡大観察系１４により点像を観察することにより、被検レンズ１１の軸外全ての場所での点像を観察することができる。
【００９６】
従って、このようにしても、第１の実施の形態で述べたと同様、被検レンズ１１の軸外の点像から軸外の収差の観察を行なうことができるので、上述した被検レンズ１１の軸上の収差の観察を合わせて行なうことにより、被検レンズ１１の偏心調整を始め、間隔調整を高感度で効率的に行うことができる。
【００９７】
（第３の実施の形態）
次に、本発明の第３の実施の形態を説明する。
【００９８】
図６は、本発明の第３の実施の形態の概略構成を示すもので、図１と同一部分には、同符号を付している。
【００９９】
なお、図面では示していないが、図１で述べたと同様に、装置本体１の胴部１ｂに回転軸２を介してフレーム３を回動可能に支持し、このフレーム３に被検レンズ１１、球面ミラー９およびＸＹＺステージ８を一体的に設け、これらをフレーム３とともに傾斜可能にする構成になっている。
【０１００】
照明系１３には、光源４１、集光レンズ４２、光ファイバー４３およびコリメータレンズ４４が設けられている。光ファイバー４３は、出射端をコリメータレンズ４４の焦点位置に配置されている。
【０１０１】
このようにすると、光源４１から放射された光は、集光レンズ４２を介して光ファイバー４３に導入される。また、光ファイバー４３から出射した光は、コリメータレンズ４４を通り平行光となってビームスプリッタ１２に入射し、これ以降、上述した第１の実施の形態で説明したような被検レンズ１１の軸上、軸外の点像の拡大観察が行われる。
【０１０２】
この第３の実施例では、光ファイバー４３によって照明光を導入するようにしたので、様々な光源に簡単に対処できるようになる。光源４１には大型の水冷ガスレーザや、小型の半導体レーザ、ランプなど種々あるが、光源４１と、それに適した光ファイバー４３さえ準備すれば良いので、様々な光源に対して効率的に対応できる。光源４１としてレーザ光源が使用される場合は、コア径数μｍのシングルモードファイバーを使用する。光源４１がランプ光源装置などの場合、シングルモードファイバーを使用しても良いがファイバーに導入できる光量が非常に少なくなるので、シングルモードファイバーよりもコア径の大きいマルチモードファイバーを使用した方が現実的である。ただし、ＣＣＤカメラ１６と光ファイバー４３の出射端面のコアは共役関係にあるため、あまりコア径の大きなファイバーを使用すると、被検レンズ１１の点像を観察しているというよりも、ファイバーのコアを観察している状態に近づいてくる。それでも、十分に被検レンズ１１の軸非対称収差を観察できるのであれば良いが、ここでは、点像を観察するための照明系６の条件について考えてみる。
【０１０３】
いま、被検レンズ１１として、ＮＡ＝０．９、ｆ＿ｏｂ＝１．８ｍｍ、λ＝０．５５μｍの顕微鏡対物レンズを想定する。この被検レンズ１１のエアリデイスク径は、
φ＿ａｉｒｙ＝１．２２×λ／ＮＡ＝１．２２×０．５５μｍ／０．９＝０．７５μｍ  …▲１▼
である。
【０１０４】
ところで、光ファイバー４３のコア径φ＿ｐが、焦点距離ｆ＿ｉｌｌのコリメータレンズ４４と、焦点距離ｆ＿ｏｂの被検レンズ１１によって、被検レンズ１１の焦点に投影されるわけだが、その投影像径φ’を幾何光学的に考えれば、
φ＿ｐ’＝（ｆ＿ｏｂ／ｆ＿ｉｌｌ）×φ＿ｐ                  …▲２▼
となる。
【０１０５】
ここで、ｆ＿ｏｂ＝１．８ｍ、ｆ＿ｉｌｌ＝１８０ｍ、ファイバーコア径φ＿Ｐ＝１０μｍのマルチモードファイバーを考えると、
φ＿ｐ’＝１．８ｍｍ／１８０ｍｍ×１０μｍ＝０．１μｍ
となる。いま、被検レンズ１１のエアリディスク径はφ＿ａｉｒｙ＝０．７５μｍであり、これは幾何光学的投影で考えたコアの投影像径φ＿ｐ’よりも大きい。すなわち、被検レンズ１１の焦点には、ファイバーのコアが幾何光学的に投影されているわけではなく、被検レンズ１１によって決まる点像が形成されていると考えて良い。
【０１０６】
このことをまとめると、下式▲３▼が成立していれば、ファイバーのコアを観察しているのではなく、被検レンズ１１の点像を観察していると考えて良い。
【０１０７】
φ＿ｐ’≦φ＿ａｉｒｙ                            …▲３▼
また、実際には、φ＿ｐ’≒φ＿ａｉｒｙでも、収差の高感度観察には十分である。したがって、本装置において最大の観察感度を引き出す条件として式▲３▼を拡張して
φ＿ｐ’≒φ＿ａｉｒｙまたはφ＿ｐ’≦φ＿ａｉｒｙ      …▲４▼
となる。
【０１０８】
▲１▼、▲２▼を▲４▼に代入して別形式で表せば、
2004325173.tif 000003
となる。
【０１０９】
φ＿ｐ’がφ＿ａｉｒｙの数倍になってくると、収差の観察感度は落ちてくるが、本発明の実用上のメリットは失われることにはならない。したがって、式▲５▼の関係から多少外れたとしても本発明の意義が失われることは全くない。
【０１１０】
従って、このようにすれば、第１の実施の形態と同様な効果を得られ、さらに、光ファイバー４３により照明光を導入するようにしたので、１台のレンズ軸上軸外点像観察装置で様々な光源に対して簡単に対応することができる。
【０１１１】
なお、この第３の実施の形態は、図４で述べたと同様に、装置本体１の胴部１ｂに回転軸３１を介してフレーム３２を回動可能に設け、このフレーム３２に照明系１３、ビームスプリッタ１２および点像拡大観察系１４を一体的に設け、これらをフレーム３２とともに傾斜可能にした構成とすることもできる
（第４の実施の形態）
次に、本発明の第４の実施の形態を説明する。
【０１１２】
図７は、本発明の第４の実施の形態の概略構成を示すもので、図１と同一部分には、同符号を付している。
【０１１３】
なお、図面では示していないが、図１で述べたと同様に、装置本体１の胴部１ｂに回転軸２を介してフレーム３を回動可能に支持し、このフレーム３に被検レンズ１１、球面ミラー９およびＸＹＺステージ８を一体的に設け、これらをフレーム３とともに傾斜可能にする構成になっている。
【０１１４】
照明系１３には、光源５１、集光レンズ５２、ピンホール（ＰＨ）５３およびコリメータレンズ５４が設けられている。ピンホール（ＰＨ）５３は、コリメータレンズ５４の焦点位置に配置されている。
【０１１５】
このようにすると、光源５１から放射された光は、集光レンズ５２を介してピンホール（ＰＨ）５３背後から照射される。ピンホール（ＰＨ）５３を通過した光は、コリメータレンズ５４を通り平行光となってビームスプリッタ１２に入射し、これ以降、上述した第１の実施の形態で説明したような被検レンズ１１の軸上、軸外の点像の拡大観察が行われる。
【０１１６】
この第４の実施の形態では、光ファイバーに代わってピンホール（ＰＨ）５３をコリメータレンズ５４の焦点位置に設置し、ピンホール（ＰＨ）５３を背後から光源５１により照明する。このようにすると、特に、光源５１として水銀ランプの深紫外輝線を使用するような場合、光ファイバーの透過率が劣化していくので、そのような場合に、この第４の実施の形態のような光ファイバーを使用しない構成が適している。この場合、ピンホール（ＰＨ）５３の径をφ＿ｐとして、第３の実施の形態で説明したのと同様に式▲５▼が成り立つのが望ましい。
【０１１７】
従って、このようにしても、第１の実施の形態と同様な効果を得られ、さらに、光源がランプ光源で光ファイバーによる照明光の導入が難しいような場合に好適な照明系を実現できる。
【０１１８】
なお、この第４の実施の形態も、図４で述べたと同様に、装置本体１の胴部１ｂに回転軸３１を介してフレーム３２を回動可能に設け、このフレーム３２に照明系１３、ビームスプリッタ１２および点像拡大観察系１４を一体的に設け、これらをフレーム３２とともに傾斜可能にした構成とすることができる
（第５の実施の形態）
次に、本発明の第５の実施の形態を説明する。
【０１１９】
図８は、本発明の第５の実施の形態の概略構成を示すもので、図１と同一部分には、同符号を付している。
【０１２０】
なお、図面では示していないが、図１で述べたと同様に、装置本体１の胴部１ｂに回転軸２を介してフレーム３を回動可能に支持し、このフレーム３に被検レンズ１１、球面ミラー９およびＸＹＺステージ８を一体的に設け、これらをフレーム３とともに傾斜可能にする構成になっている。
【０１２１】
照明系１３には、レーザ光源６１と、レーザ光を無収差とみなせるレンズ６２，６３が設けられている。
【０１２２】
このようにすると、レーザ光源６１からのレーザ光は、無収差とみなせるレンズ６２、６３によって、所望のビーム径に変換されてビームスプリッタ１２に平行光として導入され、これ以降、上述した第１の実施の形態で説明したような被検レンズ１１の軸上、軸外の点像の拡大観察が行われる。
【０１２３】
この第５の実施の形態は、特定のレーザ光に本装置を専用使用する場合や、当該レーザ光に使用できる光ファイバーが入手困難な場合に最適な構成となる。
【０１２４】
従って、このようにしても、第１の実施の形態と同様な効果を得られ、さらに、被検レンズの点像を観察していることに相当する照明系を簡単に実現できる。
【０１２５】
なお、この第５の実施の形態も、図４で述べたと同様に、装置本体１の胴部１ｂに回転軸３１を介してフレーム３２を回動可能に設け、このフレーム３２に照明系１３、ビームスプリッタ１２および点像拡大観察系１４を一体的に設け、これらをフレーム３２とともに傾斜可能にした構成とすることができる
ところで、上述した各実施の形態に用いられる球面ミラー９は、いくつか形態が考えらえる。これらについて説明すると、上述では全て、凹状の球面９ａを有する球面ミラー９を用いているが、例えば、図９に示すような凸状の球面２１ａを有する球面ミラー２１でもよい。この場合も、球面ミラー２１の球面２１ａの曲率中心と被検レンズ１１の焦点が一致するようになっている。
【０１２６】
また、生物用顕微鏡の対物レンズ組立調整時の点像観察に用いられる球面ミラーとして図１０に示すようなものがある。この場合、生物標本は、一般にスライドガラス上にスライスした観察標本を置き、その上から厚さ０．１７ｍｍ程度のカバーガラスを載せて観察される。このため生物用対物レンズはカバーガラスが設置された場合に収差が最も小さくなるように設計されている。また、生物標本は、およそ生理食塩水程度の光学的屈折率を有すると考えて実用上差し支えない。このような生物標本の観察を行なうのに近い状態で、被検レンズ１１の点像を観察するための球面ミラーが図１０に示すものである。図１０では、高精度なガラスボールレンズを半分にカットした半球状の球面ミラー２２の平面２２ａ側にカバーガラス２３を取り付けた構成になっており、球面２２ｂ側は反射面として使用される。被検レンズ１１の焦点位置は、カバーガラス２３を介して球面ミラー２２の平面２２ａ当たりに合わせる。球面ミラー２２は、内部がガラスであるが、生理食塩水と同じ屈折率ではなくても実用上それに近い屈折率と見なせるものであればよい。このような半球状の球面ミラー２２を用いることにより、球面２２ｂで反射した光は、再びもとの経路を辿って被検レンズ１１の点像を観察することができる。また、生物顕微鏡で良く使用される油浸対物レンズを被検レンズ１１とする場合は、カバーガラス２３と被検レンズ１１の間に該当するオイルを満たすようにすればよい。
【０１２７】
さらに、上述した実施の形態では、フレーム３（３２）の傾斜範囲を、垂直状態を起点として片方に傾斜するように構成しているが、その変形として、垂直状態を中間位置として振り子のように両方向に傾斜させるようにしてもよい。こうすれば、軸上を中心として対称位置に存在する複数の軸外収差を容易に観察することが可能となる。また、フレーム３（３２）傾斜の中心となる回転軸２（３１）は、その中心軸が被検レンズ１１の光軸に直交し、かつ被検レンズ１１の瞳位置にほぼ近い位置を含む面上に配置されているが、被検レンズ１１を異なる仕様のものに交換したとき、その瞳位置も変化することが考えられる。このようにフレーム３（３２）傾斜の中心軸が被検レンズ１１の瞳位置から外れていくと、フレーム傾斜時に瞳枠で光束がケラレを発生することになり、好ましくないので、フレーム傾斜の中心軸は、被検レンズ１１のほぼ瞳位置とするのがよい。そこで、被検レンズ１１と自転部材１０との間に不図示の間隔補正部材を設け、この間隔補正部材により被検レンズ１１の光軸方向の位置調整を可能にすることが考えられる。このような間隔補正部材を用いることで、被検レンズ１１の瞳位置が変化した場合でも、回転軸２（３１）の中心軸の延長線上に被検レンズ１１の瞳位置を配置させることができる。このようにすれば、被検レンズ１１の瞳位置を限定することなく、種々の仕様の被検レンズ１１の軸上、軸外収差の観察を行なうことができる。
【０１２８】
その他、本発明は、上記実施の形態に限定されるものでなく、実施段階では、その要旨を変更しない範囲で種々変形することが可能である。
【０１２９】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【０１３０】
なお、上述した実施の形態には、以下の発明も含まれる。
【０１３１】
（１）請求項１乃至３のいずれかに記載のレンズ軸上軸外点像観察装置において、前記照明系は、光ファイバーとコリメータレンズによって構成されることを特徴としている。
【０１３２】
このようにすれば、１台のレンズ軸上軸外点像観察装置で様々な光源に対して効率的に対応することができる。
【０１３３】
（２）請求項１乃至３のいずれかに記載のレンズ軸上軸外点像観察装置において、前記照明系は、ピンホール、ピンホールを背後から照明する光源、コリメータレンズから構成されることを特徴としている。
【０１３４】
このようにすれば、光源がランプ光源で光ファイバーによる照明光の導入が難しい場合にも好適な照明系を実現できる。
【０１３５】
（３）（１）（２）記載のレンズ軸上軸外点像観察装置において、照明系のコリメータレンズの焦点距離をｆ＿ｉｌｌ、被検レンズの焦点距離をｆ＿ｏｂ、ピンホールまたは光ファイバーのコア径をφ＿Ｐ、被検レンズの理想状態におけるエアリディスク径をφ＿ａｉｒｙとした場合、
φ＿ｐ≒（ｆ＿ｉｌｌ／ｆ＿ｏｂ）×φ＿ａｉｒｙまたはφ＿ｐ≦（ｆ＿ｉｌｌ／ｆ＿ｏｂ）×φ＿ａｉｒｙ
の関係にあることを特徴としている。
【０１３６】
このようにすれば、被検レンズの点像を観察していることに相当する照明系を実現できる。
【０１３７】
（４）請求項１乃至３のいずれかに記載のレンズ軸上軸外点像観察装置において、前記球面ミラーは、シリコン製であることを特徴としている。
【０１３８】
このようすれば、球面ミラーがシリコン製で反射率が高いので、光の利用効率を上げることができる。
【０１３９】
（５）被検レンズと、前記被検レンズの後端側に平行光を導光する照明光学系と、前記被検レンズの先端側で前記被検レンズ先端から出射された出射光束軸と反射光束軸が同一光束軸となるように反射可能に配置された球面ミラーと、前記被検レンズを通過した前記反射光束による点像を観察する点像観察光学系と、前記被検レンズに入射される前記照明光からの平行光の光軸と前記被検レンズの光軸とを相対的に傾斜可能にする傾斜手段とを具備したことを特徴としている。
【０１４０】
【発明の効果】
以上述べたように本発明によれば、被検レンズの軸上および軸外収差を高感度に、且つ実用的な方法で観察できるレンズ軸上軸外点像観察装置および方法を提供できる。つまり、軸上軸外収差を高感度に観察でき、しかも、多品種少量生産になりがちな厳しい仕様性能の被検レンズに対して時間的、費用的にも効率的に対応可能なレンズ軸上軸外点像観察環境を提供できるという優れた効果がある。
【図面の簡単な説明】
【図１】本発明の第１の実施の形態の概略構成を示す図。
【図２】第１の実施の形態に用いられる自転部材の概略構成を示す図。
【図３】第１の実施の形態のフレームを傾斜させた状態を示す図。
【図４】本発明の第２の実施の形態の概略構成を示す図。
【図５】第２の実施の形態のフレームを傾斜させた状態を示す図。
【図６】本発明の第３の実施の形態の概略構成を示す図。
【図７】本発明の第４の実施の形態の概略構成を示す図。
【図８】本発明の第５の実施の形態の概略構成を示す図。
【図９】第１乃至５の実施の形態に用いられる球面ミラーの変形例の概略構成を示す図。
【図１０】第１乃至５の実施の形態に用いられる球面ミラーの他の変形例の概略構成を示す図。
【図１１】従来のレンズ点像観察装置の一例の概略構成を示す図。
【図１２】従来のレンズ点像観察装置の他例の概略構成を示す図。
【符号の説明】
１…装置本体、１ａ…ベース部、１ｂ…胴部、１ｃ…アーム部
２…回転軸、３…フレーム、３ａ…フレーム本体
３ｂ…上端部、３ｃ…下端部、３ｄ…孔部、４…軸受
５…押しネジ台、６…押しネジ、７…ハンドル、８…ＸＹＺステージ
９…球面ミラー、９ａ…球面、１０…自転部材、１０ａ…固定部材
１０ｂ…回転軸受、１０ｃ…回転部材、１１…被検レンズ
１２…ビームスプリッタ、１３…照明系、１４…点像拡大観察系
１５…結像レンズ、１６…ＣＣＤカメラ、２１ａ…球面
２１…球面ミラー、２２…球面ミラー、２２ａ…平面
２２ｂ…球面、２３…カバーガラス、３１…回転軸、３２…フレーム
３２ａ…フレーム本体、３２ｂ…折曲げ部、３３…軸受、４１…光源
４２…集光レンズ、４３…光ファイバー、４４…コリメータレンズ
５１…光源、５２…集光レンズ、５３…ピンホール（ＰＨ）
５４…コリメータレンズ、６１…レーザ光源、６２．６３…レンズ
【図１】
2004325173.tif 000004
【図２】
2004325173.tif 000005
【図３】
2004325173.tif 000006
【図４】
2004325173.tif 000007
【図５】
2004325173.tif 000008
【図６】
2004325173.tif 000009
【図７】
2004325173.tif 000010
【図８】
2004325173.tif 000011
【図９】
2004325173.tif 000012
【図１０】
2004325173.tif 000013
【図１１】
2004325173.tif 000014
【図１２】
2004325173.tif 000015